(57)【要約】【課題】  毛とネットとの結着による結び目が、スキン網の上部に露出しないようにしながら、毛根がスキン網の上部に立つよう維持させ、皮膚から自然に毛根が突出した形状になるようにし、手編の毛の外観上の美観を向上させることができるＮＦＰ手編方法、及びこれにより製造された鬘を提供することに目的がある。【解決手段】  本発明は、スキン網を用いた毛の手編方法及びこれにより製造された鬘に関し、本発明に係る手編方法はネット網の上部にスキン網を重ね、ネットに手編された毛をスキン網の上部に引き抜くことにより、スキン網の上部に毛のネットとの結着により形成される結び目が外部に露出せず、毛根が位置したスキン網の底部は皮膚と類似する柔らかいスキン網で形成され、植え込まれた毛の外観美を自然な形に見栄えを良くする技術である。【選択図】図４ｅ
2006132072.tif 000002
【特許請求の範囲】
【請求項１】
ネット上にスキン網を重ね、前記スキン網の上部で手編針を前記スキン網の下部に挿入させ、前記スキン網と前記ネットとの間に手編針を位置させる第１の段階と、
露出した前記手編針に毛を結着させた後、下部のネット上に手編作業を実施する第２の段階と、
前記ネットに手編された毛と針を前記スキン網の上部に共に引き抜く第３の段階と、
前記第１〜第３の段階の工程を繰り返し実施する第４の段階とを含み、毛とネットとの結着による結び目が前記スキン網の上部に形成されない手編がなされたことを特徴とするスキン網を用いた毛の手編方法。
【請求項２】
ネット上の一定領域に手編作業を実施する第１の段階と、
手編されたネットの上部にスキン網を重ねる第２の段階と、
手編針を前記スキン網の下部に挿入させ、前記ネット上に手編された毛を針にかけて共に前記スキン網の上部に引き抜く第３の段階と、
前記第１〜第３の段階を繰り返し実施する第４の段階とを含み、
毛とネットとの結着による結び目が前記スキン網の上部に形成されない手編がなされたことを特徴とするスキン網を用いた毛の手編方法。
【請求項３】
前記ネット上に毛を手編する方法は、単手編、半単手編、半双手編、双手編、半単手編及び単手編、並びにＶ手編方法のいずれかであることを特徴とする請求項１又は２の何れか一項に記載のスキン網を用いた毛の手編方法。
【請求項４】
前記スキン網の上部に引き抜かれた毛の長さは、毛全体の長さの１／２〜２／３になるようにすることを特徴とする請求項１又は２の何れか一項に記載のスキン網を用いた毛の手編方法。
【請求項５】
前記スキン網を用いた毛の手編部分は、着用者の額部位と同じ特定部位、又はネット全体にわたって形成されることを特徴とする請求項１又は２の何れか一項に記載のスキン網を用いた毛の手編方法。
【請求項６】
前記請求項１又は２の何れか一項に記載の方法で手編された完成ネットを用いて製造されたことを特徴とする鬘。
【発明の詳細な説明】
【技術分野】
【０００１】
本発明は、スキン網を用いた毛の手編方法及びこれにより製造された鬘に関し、特にネットの上部に皮膚と類似のスキン網を重ね、前記ネットに毛（毛髪）を手編（結着）させた後、スキン網の上部に再度引き出すこよにより、毛の結び目がスキン網の外部に現われず、毛根が位置した部位が皮膚と類似の柔らかいスキン面を形成し、植え込まれた毛の自然な外観美をそのまま生かせるスキン網を用いた手編方法（以下、「ＮＦＰ（ＮＥＷ  ＦＲＥＮＣＨ  ＰＡＲＴ）手編方法」と記す）、及びこれにより製造された鬘に関する。
【背景技術】
【０００２】
一般に、鬘は薄い厚さのネットに一連の毛を手編で編んで形成された完成ネットを用いて製造されるものであり、髪の毛のない該当部分又は頭部全体に着用して着用者のヘアスタイルを引き立たせる役割を果たす。
【０００３】
このような鬘製造のため用いられる完成ネットを作るための従来の一般的な手編方法は、下記の図１ａ〜図１ｃに示されているように、網状のネット１に毛３を手編針５で編み、一定の形の毛３が編まれた完成ネットを形成する。
【０００４】
図１ａに示されているように、作業者の一方の手ｈ１の親指と人指し指を用いて一定量の毛３を捕獲した状態でネット１に編もうとする単一の毛３ａを針５を用いて引き出した後、ネット１に結着させる。このとき一定量の毛３を握っている親指と人指し指部分を基準に、その上側の毛は全体の長さのおおよそ１／３に該当する長さに、その下の毛は全体の毛の長さの２／３程度になるようにするのが好ましい。
【０００５】
図１ｃは、ネットに単一の毛３ａが結着され結び目が形成される状態を拡大して示す図である。
【０００６】
前記単一の毛３ａをネット１の糸７に結着させる従来の手編方法は、ネット７に結着される毛３ａの形状により、おおよそ下記の６つがある。
【０００７】
図２ａ〜図２ｆは、前記６つの手編方法を示す図である。前記示された各図はその順番通りに、単手編（ｓｉｎｇｌｅ  ｋｎｏｔ）、半単手編（ｈａｌｆ  ｓｉｎｇｌｅ  ｋｎｏｔ）、半双手編（ｈａｌｆ  ｄｏｕｂｌｅ  ｋｎｏｔ）、双手編（ｄｏｕｂｌｅ  ｋｎｏｔ）、半単手編及び単手編（ｈａｌｆ  ｓｉｎｇｌｅ  ｋｎｏｔ  ａｎｄ  ｓｉｎｇｌｅ  ｋｎｏｔ）、Ｖ手編（Ｖ  ｋｎｏｔ）をそれぞれ示す。
【０００８】
前記図示された手編方法は公知の技術であり、以下で簡単に説明する。
【０００９】
図２ａの単手編は、毛３ａの分岐した２つの部分を同時に針５の穴にかけて３６０度回転した後、針の穴がかかっている部分に引き抜くよう引っ張り毛３ａをネット１に結着させる方法である。
【００１０】
図２ｂの半単手編は、毛３ａの分岐した部分のうち針５に近い方（毛を短く掴む方）だけを針５の穴にかけ３６０度回転した後、針５の穴がかかっている部分に抜き出すよう引っ張り毛３ａをネット１に結着する方法である。
【００１１】
図２ｃの半双手編は、針５の穴を毛３ａの分岐した部分のうち遠い方の１本（毛を長く掴む方）をかけ３６０度回転した後、中心部に抜き出して引っ張り、再度残りの一本をかけて３６０度回転した後、針５の穴がかかっている部分に引き抜くようにして毛３ａを結着する方法である。
【００１２】
図２ｄの双手編は、毛３ａの分岐した２つの部分を同時に針５の穴にかけ３６０度回転した後、針の穴がかかっている部分に引き抜くようにして引っ張り、再度両方とも針５の穴にかけて中心部に抜き出して引っ張り毛３ａを結着させる方法である。
【００１３】
図２ｅの半単手編及び単手編は、半単手編後に再度分岐した毛の両方を同時に針５の穴にかけ３６０度回転した後、針５の穴がかかっている部分に抜き出すように引っ張り毛３ａを結着させる方法である。
【００１４】
図２ｆのＶ手編は、針をスキン網から引き抜くとき、短い毛３ａを束ねず直ぐに抜き出すようにして毛３ａを結着させる方法である。
【００１５】
特に、前記の従来の手編方法において毛３ａをネット１に結着させる工程では、結着される毛３ａが脱落しないようしっかりと締めつけなければならず、手編針５が鋭いため針５により毛３ａとネット１が損傷しないよう注意を注がなければならない。
【００１６】
前記のように、単一毛３ａをネット１に結ぶ手編方法を用いて鬘を製造する従来の鬘製造工程は、次のようになされる。
【００１７】
従来の工程は「ＰＵ（Ｐｏｌｙ  ｕｒｅｔｈａｎｅ）フォーム→ベース→カッティング→ソーイングマシーン（Ｓｅｗｉｎｇ  Ｍ／Ｃ）→Ｈ／Ｊ（Ｈａｎｄ  Ｊｏｉｎ）→キャップコーティング→ＥＰＩセッティング→リモルディング→キャップ検査→ベンチレーション→最終コーティング→最終検査→パッキング」でなされ、本発明の手編方法は前記キャップ検査工程後のベンチレーション工程で実施される。即ち、前記ベンチレーション工程は、キャップ（Ｃａｐ）検査に合格したキャップの上部に手で直接１本又は２本の毛を手工する手編作業であり、このとき適用される手編方法としては、前記で説明した６つの方法中の１つである。
【００１８】
参考までに、前記の従来の各工程の簡略な説明をすれば次の通りである。
【００１９】
まず、ＰＵフォーム工程はキャップ製作の初工程で、パターンのサイズ及びコンツアー（Ｃｏｎｔｏｕｒ）をモルドに移す作業工程であり、キャップの大きさと形状及び外枠線を合わせる工程で、使用者のパターンと同様にする。
【００２０】
前記ベース工程は、使用者のパターンに合わせて網の形を作る工程で、モルドとキャップが良く密着するようにする作業工程であり、前記カッティング工程はパッチ／スキンで不要な部分を切断する工程であり、ソーイングマシーン工程はパッチ部分などを連結させなければならない部分等をソーイングする工程である。
【００２１】
前記Ｈ／Ｊ（Ｈａｎｄ  Ｊｏｉｎ）工程は、網と網の重なる部分をＰＵ−ジョイン（Ｊｏｉｎ）せず糸で巻く工程であり、キャップコーティング工程はＰＵ−スキン／ＰＵ−パッチのジョインされた部分にポリウレタンを３〜５回塗布し、裁縫された部分が粗くならないよう、後工程で網とＰＵが分離しないようにする。前記ＥＰＩセッティング工程は、ネット部分の網組織が離脱しないように所定の薬品（ＥＰＩ）を用いて樹脂処理する工程で、樹脂処理された網組織は硬くなり、ある程度固定した状態を維持することになる。
【００２２】
前記リモルディング工程は、モルドにキャップをコンツアーサイズに合わせて引っ張り固定、熱処理して形態を維持させる工程であり、キャップ検査工程はパターンに合わせてキャップのサイズ、キャップの輪冠、ネットの破損の有無などを検査する工程である。
【００２３】
図３ａと図３ｂは、前記の従来の手編方法で毛をネットに結着させた状態を示し、毛３ａとネット１が結合した結び目部分を拡大して示した図である。
【００２４】
図示されているように、毛３ａが結着されたネット１の上部面上に結び目３ｂが形成され、この結び目３ｂは外部に突出した形で露出され、外観上の美観を害することになる。併せて毛３ａの底部が接触するネット１の上部面も粗いだけでなく、図３ａのように、毛３ａが横方向になびく現象が現れ、さらに外観上の美観が悪くなる問題点があった。
【発明の開示】
【発明が解決しようとする課題】
【００２５】
したがって、本発明は前記の従来の問題点を解決するためのもので、ネットの上部にスキン網を重ね、ネットに手編の毛をスキン網の上部に引き上げることにより、毛とネットとの結着による結び目がスキン網の上部に露出しないようにしながら、毛根がスキン網の上部に立つよう維持させ、皮膚から自然に毛根が突出した形状になるようにし、手編の毛の外観上の美観を向上させることができるＮＦＰ手編方法、及びこれにより製造された鬘を提供することに目的がある。
【課題を解決するための手段】
【００２６】
本発明の１つの実施形態に係るスキン網を用いた毛の手編方法は、ネット上にスキン網を重ね、前記スキン網の上部で手編針を前記スキン網の下部に挿入させ、前記スキン網と前記ネットとの間に手編針を位置させる第１の段階と、露出した前記手編針に毛を結着させた後、下部のネット上に手編作業を実施する第２の段階と、前記ネットに手編された毛と針を前記スキン網の上部に共に引き上げる第３の段階と、前記第１〜第３の段階の工程を繰り返して実施する第４の段階とを含み、前記毛とネットとの間の結着による結び目がスキン網の上部に形成されない手編がなされるようにしたことを特徴とする。
【００２７】
本発明の１つの実施形態に係るスキン網を用いた毛の手編方法は、ネット上の一定領域に手編作業を実施する第１の段階と、手編されたネットの上部にスキン網を重ねる第２の段階と、手編針を前記スキン網の下部に挿入させ、前記ネット上に手編された毛を針にかけて共に前記スキン網の上部に引き抜く第３の段階と、前記第１〜第３の段階を繰り返し実施する第４の段階とを含み、前記毛とネット間の結着による結び目がスキン網の上部に形成されない手編がなされるようにしたことを特徴とする。
【００２８】
本発明の前記スキン網の下部で毛が結着された針を用いて下部のネットに手編する方法は単手編、半単手編、半双手編、双手手編、半単手編及び単手編、Ｖ手編方法のうちいずれを用いてもかまわない。
【００２９】
前記スキン網の上部に引き上げられた毛は、毛全体の長さの１／２〜２／３の範囲になるようにするのが好ましい。
【００３０】
前記で、スキン網を用いた毛の手編部分は着用者の額部位と同じ特定部位又は毛が編まれるネット全体にわたって形成することもできる。
【発明の効果】
【００３１】
本発明に係るＮＦＰ手編方法はネットの上部にスキン網を重ね、ネットに手編された毛をスキン網の上部に引き抜くことにより、スキン網の上部面上に毛とネットとの結着により形成される結び目が外部に露出せず、毛根が位置するスキン網の底部は皮膚と類似の柔らかいスキン網で形成されているので、毛の自然な外観美をそのまま生かせる効果を奏する。
【発明を実施するための最良の形態】
【００３２】
以下、図面を参照し、本発明の係るスキン網を用いた毛の手編方法の適宜な実施の形態に対し詳しく説明する。
【００３３】
本発明のＮＦＰ手編方法においては、従来のネットの上部にスキン網を別途重ねて毛を結着させる方法を適用している。
【００３４】
図４ａ〜図４ｆは、本発明のＮＦＰ手編方法の１つの実施の形態に係る工程段階を示す図である。
【００３５】
図４ａに示されているように、ネット１１の上部にシルクスキン網１３を重ねた状態で手編針１５をシルクスキン網１３の上部から下部に挿入し、針１５がネット１１とスキン網１３との間に位置するようにする。
【００３６】
このとき、一側の手ｈ１はスキン網１３を掴み、他側の手ｈ２は手編針１５が装着された棒を掴むようにする。図は作業が一定時間進んだ中間状態を示している。
【００３７】
図４ｂに示されているように、前記スキン網１３の下部に突出した前記手編針１５の針の穴に、一側の手ｈ１に捕獲されている多数の毛１７の単一の毛１７ａをかけて引き出す。
【００３８】
図面で符号１７’は上部のスキン網１３を介し再度引き抜いて出た毛を表わす。
【００３９】
図４ｃに示されているように、針の穴に通された単一毛１７ａを手編針１５で下部のネット１１に手編する。このとき手編方法は、前記で例示した従来の６つの手編方法のうち任意の１つの方法を用いる。
【００４０】
図４ｄに示されているように、手編後、針１５と毛１７ａを共にスキン網１３の上部に同時に引き抜く。このとき引き抜かれた毛１７’の基本毛長は毛１７ａの全体の長さの１／２〜２／３の範囲になるようにすることが好ましい。
【００４１】
図４ｅは、スキン網１３の上部に完全に引き抜かれた毛１７’の状態を示す図である。
【００４２】
図４ｆは、前記図４ａ〜図４ｅに示されている作業を繰り返して、スキン網１３の上部に引き抜かれた毛１７’を下部に長く垂らした状態を示す図である。
【００４３】
前記工程では、ＮＦＰ手編がなされた周りの連結部分は別途の手編作業で固定し、ＮＦＰ手編がなされていない不要なスキン網１３の延長部ははさみで切断して除去する。
【００４４】
一方、図５ａ〜図５ｄは本発明のＮＦＰ手編方法の他の実施の形態に係る工程段階を示す図である。
【００４５】
図５ａは、まずネット１１上の一定の領域に毛１７の手編作業を施す第１の段階の工程と、前記手編のネット１１の上部にスキン網１３を重ねる第２の段階の工程とを示している図である。
【００４６】
図５ｂは、手編針１５を前記スキン網１３の下部に挿入させ前記ネット１１に手編された毛１７を針１５にかけて、共に前記スキン網１３の上部に引き抜く第３の段階の工程を示す図である。
【００４７】
図５ｃと図５ｄは、前記第１の段階でネット１１に毛の手編作業がなされた状態に引き続きネット１１に毛の手編作業を一定部分まで進める工程と、前記第２の段階で手編針１５を上部のスキン網１３の下部に挿入し、既にネット１１に手編された毛１７を針１５と共にスキン網１３の上部に引き抜く工程を繰り返す第４の段階の工程を示す図である。
【００４８】
一方、前記第２の段階の工程でネット１１に手編された毛１７は、上部のスキン網１３を介し上側にその位置が投影されるので、作業者が容易に手編された毛１７をスキン網１３の上側に引き抜くことができる。
【００４９】
図で符号１７’は、また、上部のスキン網１３を介し再度引き抜かれて出た毛を表わす。
【００５０】
図６は、前記本発明に係るＮＦＰ手編方法で毛が植え込まれた状態を拡大して示す図である。
【００５１】
図示されているように、本発明に係るＮＦＰ手編方法によりスキン網１３に植え込まれた毛１７’は、その下段部、即ちスキン網１３の上部面上に毛の結着による結び目が形成されていなく、スキン網１３から毛１７’が直接突出して出る形になっているので毛の形成が非常に自然である。
【００５２】
一方、前記のような本発明に係るＮＦＰ手編方法で形成された完成ネットを適用して鬘を作る場合、進められる鬘製造工程は次のようになされる。
【００５３】
即ち「ＰＵフォーム→ベース→カッティング→ソーイングマシーン→Ｈ／Ｊ→キャップコーティング→ＥＰＩセッティング→リモルディング→キャップ検査→ベンチレーション→（最終コーティング工程は省略される）→最終検査→パッキング」の工程でなされる。
【００５４】
前記工程を前記で説明した従来の鬘製造工程と比較すると、「最終コーティング工程」が削除されたことが分かり、この「最終コーティング工程」は手編したＰＵ−スキン又はＰＵ−パッチに接着剤、ポリウレタンなどを塗布する工程であり、総作業時間が約２２〜２４時間に至り、本発明のスキン網を用いた完成ネットを用いる場合、前記時間を従来の工程に比べ短縮させることができる。
【００５５】
一方、図７ａと図７ｂは本発明に係るＮＦＰ手編方法で製造された鬘の一例を示した図である。
【００５６】
図７ａは鬘の外部形状を示しており、図７ｂは前記図７ａの鬘の底部から見た鬘の内部状態を示す図である。
【００５７】
前記図示されているように、前記図示の鬘３０は、着用者の頭部に被ろうとする部位の大きさを考慮し、一定の大きさに裁断され所定の形をなしているネット２０と、前記ネット２０に均一に結着される多数の毛３１で構成される。
【００５８】
前記ネット２０は、本発明のＮＦＰ手編方法により毛３１が植え込まれたＮＦＰ手編部分２５と、前記ＮＦＰ手編部分２５を除いた通常の手編部分２８に区分される。
【００５９】
図７ｂにおいて、ＮＦＰ手編部分２５の上側に位置したネット２１は、ネットが上部に延伸して出た延伸部であり、前記ＮＦＰ手編部分２５とその縁部を完成した後は必要に伴い除去される部分である。符号２３で表記された部分は、裁縫や針仕事により形成されたハンドラインであり、符号２７部分はハンドジョイント部を表わす。前記ハンドライン部２３とハンドジョイント部２７は、ネット２０の全体形状を堅固に維持させ、下部毛３１との結着状態をさらに維持させる役割を果たし、その幅は約５ｍｍ内外になるようにする。
【００６０】
符号２９にて表わされた部分は、ネット２０の最外側に形成されたエムピーラインでネット２０の最外側エンドラインになり、幅は約１５ｍｍ内外となるようにする。
【００６１】
図８は、前記図７ａと図７ｂに示されている鬘３０を着用者の頭部に着用させた状態を示す斜視図である。
【００６２】
前記図で、符号２５にて表わされた領域は本発明のＮＦＰ手編方法により毛が植え込まれた部位であり、前面から見る場合に最も目につき易い位置、たとえば、着用者の額を中心に分け目が形成された頭の部位に形成されている。
【００６３】
前記本発明のＮＦＰ手編部位２５は、前記例では額部周辺に形成されているが、着用者の趣向により任意に位置を変更することができ、場合によっては毛が編まれるネット全体にわたって形成されるようにすることもできる。
【図面の簡単な説明】
【００６４】
【図１ａ】図１ａは、鬘の形成のため網形のネット網に毛（毛髪）を手編針で編む従来の手編方法を示す図である。
【図１ｂ】図１ｂは、鬘の形成のため網形のネット網に毛（毛髪）を手編針で編む従来の手編方法を示す図である。
【図１ｃ】図１ｃは、鬘の形成のため網形のネット網に毛（毛髪）を手編針で編む従来の手編方法を示す図である。
【図２ａ】図２ａは、従来に用いられる手編方法の例を示した図である。
【図２ｂ】図２ｂは、従来に用いられる手編方法の例を示した図である。
【図２ｃ】図２ｃは、従来に用いられる手編方法の例を示した図である。
【図２ｄ】図２ｄは、従来に用いられる手編方法の例を示した図である。
【図２ｅ】図２ｅは、従来に用いられる手編方法の例を示した図である。
【図２ｆ】図２ｆは、従来に用いられる手編方法の例を示した図である。
【図３ａ】従来の手編方法で毛をネット網に結着させた状態であり、毛とネット網が結合した結び目の部位を拡大して示す図である。
【図３ｂ】従来の手編方法で毛をネット網に結着させた状態であり、毛とネット網が結合した結び目の部位を拡大して示す図である。
【図４ａ】図４ａは、本発明の手編方法の１つの実施形態に係る工程段階を示す図である。
【図４ｂ】図４ｂは、本発明の手編方法の１つの実施形態に係る工程段階を示す図である。
【図４ｃ】図４ｃは、本発明の手編方法の１つの実施形態に係る工程段階を示す図である。
【図４ｄ】図４ｄは、本発明の手編方法の１つの実施形態に係る工程段階を示す図である。
【図４ｅ】図４ｅは、本発明の手編方法の１つの実施形態に係る工程段階を示す図である。
【図４ｆ】図４ｆは、本発明の手編方法の１つの実施の形態に係る工程段階を示す図である。
【図５ａ】図５ａは、本発明の手編方法の他の実施の形態に係る工程段階を示す図である。
【図５ｂ】図５ｂは、本発明の手編方法の他の実施の形態に係る工程段階を示す図である。
【図５ｃ】図５ｃは、本発明の手編方法の他の実施の形態に係る工程段階を示す図である。
【図５ｄ】図５ｄは、本発明の手編方法の他の実施の形態に係る工程段階を示す図である。
【図６】本発明に係る手編方法により植え込まれた毛の状態を拡大して示す図である。
【図７ａ】本発明に係る手編方法で形成された完成ネットを用いて製造された鬘の一例を示す図である。
【図７ｂ】本発明に係る手編方法で形成された完成ネットを用いて製造された鬘の一例を示す図である。
【図８】前記図７ａと図７ｂに示された鬘を着用者の頭に着用させた状態を示す斜視図である。
【符号の説明】
【００６５】
１、１１、２０      ネット網
３、３ａ、１７、１７’      毛
５、１５      針
７        毛と結着されるネット網の糸
１３      スキン網
２１      ネット網の延伸部
２３      ハンドライン
２５      ＮＦＰ手編部
２６      ジョイント部
２７      ハンドジョイント部
２９      エムピーライン
【図１ａ】
2006132072.tif 000003
【図１ｂ】
2006132072.tif 000004
【図１ｃ】
2006132072.tif 000005
【図２ａ】
2006132072.tif 000006
【図２ｂ】
2006132072.tif 000007
【図２ｃ】
2006132072.tif 000008
【図２ｄ】
2006132072.tif 000009
【図２ｅ】
2006132072.tif 000010
【図２ｆ】
2006132072.tif 000011
【図３ａ】
2006132072.tif 000012
【図３ｂ】
2006132072.tif 000013
【図４ａ】
2006132072.tif 000014
【図４ｂ】
2006132072.tif 000015
【図４ｃ】
2006132072.tif 000016
【図４ｄ】
2006132072.tif 000017
【図４ｅ】
2006132072.tif 000018
【図４ｆ】
2006132072.tif 000019
【図５ａ】
2006132072.tif 000020
【図５ｂ】
2006132072.tif 000021
【図５ｃ】
2006132072.tif 000022
【図５ｄ】
2006132072.tif 000023
【図６】
2006132072.tif 000024
【図７ａ】
2006132072.tif 000025
【図７ｂ】
2006132072.tif 000026
【図８】
2006132072.tif 000027